(57)【要約】【課題】空きビルなどを活用して都市緑化が可能な農場施設を有するビルディングの提供を課題とする。【解決手段】本発明のビルディング１は、複数の階層１１ａ，１１ｂ・・・と、これらの複数の階層１１ａ，１１ｂ・・・のうち一部又は全部の階層に設けられた農場施設である体験農園２０，貸し農園２３，分譲農園２６と、これらの各農園２０，２３，２６に太陽光を供給する採光用トップライト４７と、各農園２０，２３，２６に水を供給する雨水受水槽３０及び浄水システム３４とを備えている。本発明では、空きビルなどを活用して簡単かつ早期に都市緑化が可能になる。【選択図】図１
2005207082.tif 000002
【特許請求の範囲】
【請求項１】
複数の階層と、
前記複数の階層のうち一部又は全部の階層に設けられた農場施設と、
前記農場施設に太陽光を供給する太陽光供給手段と、
前記農場施設に水を供給する水供給手段と、を備えたことを特徴とする農場施設を有するビルディング。
【請求項２】
前記太陽光供給手段は、ビルディング本体の屋上に設けられた透明な採光窓と、前記採光窓からの採光を前記各階の農場施設に導く導光手段とを有することを特徴とする請求項１に記載の農場施設を有するビルディング。
【請求項３】
前記水供給手段は、ビルディング本体の屋上に設けられた雨水受水槽と、前記雨水受水槽内の雨水を浄化する浄水手段と、前記浄水手段で浄化された水を前記各階の農場施設に導く導水手段とを有することを特徴とする請求項１又は２に記載の農場施設を有するビルディング。
【請求項４】
ビルディング本体の屋上に設けられた太陽熱集積手段と、
前記太陽熱集積手段によって集積された前記太陽熱を用いて発電する発電手段と、
前記発電された電力を蓄積する蓄電手段と、を備えことを特徴とする請求項１から３のいずれかに記載の農場施設を有するビルディング。
【請求項５】
空調設備と、前記空調設備から送出された空気を前記各階に供給する空調ダクトと、を備えたことを特徴とする請求項１から４のいずれかに記載の農場施設を有するビルディング。
【請求項６】
前記複数の階層のうち、一部の階層が居住施設であることを特徴とする請求項１から５の何れかに記載の農場施設を有するビルディング。
【請求項７】
固形燃料物を燃焼させて熱に転換する熱転換手段を有する請求項１から６の何れかに記載の農場施設を有するビルディング。
【発明の詳細な説明】
【技術分野】
【０００１】
本発明は、農場施設を有するビルディングに関する。
【背景技術】
【０００２】
都市部においては、大量生産された物質が大量消費及び大量廃棄されており、郊外に比べて遙かに密度の高いエネルギー代謝（利用）が行われている。そして、大量消費されたエネルギーは廃棄物になるだけでなく、汚染された排水、廃熱を排出する。また、二酸化炭素が大量に発生し、これが温室効果ガスとして大気中に排出され、地球温暖化の原因の一つになっている。
【０００３】
一方、産業界で消費されるエネルギーとしては、主として化石燃料、すなわち、石油、石炭、天然ガスが用いられている。この化石燃料は、ガソリンや電力に変換され、最終的には廃熱として大気中に放出される。
【０００４】
都市部においては、これらの廃熱が膨大な量となり、郊外に比べて異常に気温が上昇し「ヒートアイランド現象」を引き起こしている。
【０００５】
更に、都市部は人工構造物に覆われているため、保水能力が極端に低下している。また、都市部で発生した建設廃材や家庭ゴミなどの廃棄物は、郊外の処分場で処分しているが、処分場の処理可能量は大幅に減少している。
【０００６】
このように、最近の都市環境は住人にとって好ましくない面があり、自然に対する悪影響も無視できない。そこで、廃棄物の分別収集による再資源化、発電やゴミ消却によって発生する熱量を地域に供給する廃熱の再利用、送電の電力損失を抑え狭い地域で効率の良いエネルギーの再利用を実現するコジェネレーション等、さまざまな対策が計画され、その一部は実現されている。
【０００７】
一方、化石エネルギーの大量消費による枯渇の心配があることから、代替エネルギーの開発が急がれている。しかし、代替エネルギーの開発には時間がかかるので、当面は消費エネルギーを抑制することによって、化石エネルギーの枯渇をできるだけ延ばす必要がある。
【０００８】
このような観点から、最近では都市緑化が強く望まれている。また、都市部に住む中高年層の人々を中心として、自然と接する欲求が強く、その一環として就農に対する潜在的な需要が高くなっている。
【発明の開示】
【発明が解決しようとする課題】
【０００９】
しかしながら、都市部にはビルディングなどの建造物が多く、都市緑化のために土地を確保するのが困難であった。一方、都市部においては、いわゆる空きビルが増加しており、その有効活用が望まれている。
【００１０】
そこで、空きビルを利用して都市緑化ができれば、空きビルの有効活用ができると共に、都市に住む人々の就農に対する潜在的需要を満足できる。また、都市緑化が進むことによって、環境保護、地球温暖化の抑制が可能となる。
【００１１】
本発明は、このような問題に鑑みなされたもので、空きビルなどを活用して都市緑化が
可能な農場施設を有するビルディングの提供を課題とする。
【課題を解決するための手段】
【００１２】
本発明は、前記課題を解決するため、以下の手段を採用した。すなわち、本発明は、複数の階層と、前記複数の階層のうち一部又は全部の階層に設けられた農場施設と、前記農場施設に太陽光を供給する太陽光供給手段と、前記農場施設に水を供給する水供給手段と、を備えたことを特徴とする。
【００１３】
本発明では、都市部に多い空きビル利用して農場施設を設けることができる。これにより、空きビルの有効利用が可能になると共に、都市緑化が比較的簡単にかつ早期に実現できる。
【００１４】
ここで、前記太陽光供給手段としては、ビルディング本体の屋上に設けられた透明な採光窓と、前記採光窓からの採光を前記各階の農場施設に導く導光手段との構成を例示できる。
【００１５】
また、前記水供給手段としては、ビルディング本体の屋上に設けられた雨水受水槽と、前記雨水受水槽内の雨水を浄化する浄水手段と、前記浄水手段で浄化された水を前記各階の農場施設に導く導水手段とを例示できる。導水手段としては、空きビルに既設のスプリンクラーを利用できる。
【００１６】
また、ビルディング本体には、その屋上に設けられた太陽熱集積手段と、前記太陽熱集積手段によって集積された前記太陽熱を用いて発電する発電手段と、前記発電された電力を蓄積する蓄電手段と、を備えることができる。
【００１７】
また、ビルディング本体には、空調設備と、前記空調設備から送出された空気を前記各階に供給する空調ダクトと、を備えることができる。空調設備及び空調ダクトは、空きビルに残されている設備を利用できる。
【００１８】
また、前記複数の階層のうち、一部の階層を居住施設にできる。更に、ビルディング本体には、産業廃棄物や家庭ゴミなど各種の固形燃料物を燃焼させて熱に転換する廃棄物熱転換手段を設けることができる。
【００１９】
なお、上記の各構成は、本発明の趣旨を逸脱しない限り、互いに組み合わせることが可能である。
【発明の効果】
【００２０】
以上説明したように、本発明の農場施設を有するビルディングによれば、都市部の空きビルなどを用いて環境保護、エネルギー消費量の抑制、地球温暖化の抑制が可能になると共に、空きビルの有効活用が可能になる。また、都市部に居住する人々の就農に対する需要を満足できる。
【発明を実施するための最良の形態】
【００２１】
以下、本発明の実施の形態を添付した図１から図６に基づいて説明する。図１及び図２に示すように、本発明に係る農場施設を有するビルディング１は、複数の階層１１ａ〜１１ｓと、これらの複数の階層１１ａ〜１１ｓのうち一部又は全部の階層、本例では５階１１ｇ〜１６階１１ｒに設けられた農場施設である体験農園２０，貸し農園２３，分譲農園２６と、各農園２０，２３，２６に太陽光を供給する太陽光供給手段としての採光用トップライト４７と、各階１１ａ〜１１ｕに水を供給する浄水供給手段としての雨水受水槽３０及び浄水システム３４とを備えている。
【００２２】
上記ビルディング１は、新たに新築しても良いが、いわゆる空きビルを利用するのが好ましい。本例では、このビルディング１の１階１１ａに、農作物、花などを販売する店舗４１が設けられている。２階１１ｂには、野菜及び果物を原料とする飲食品を販売する店舗４２が設けられている。
【００２３】
３階１１ｃ及び４階１１ｄには、図３に示すように、アメニティスペース１５が設けられている。このアメニティスペース１５には、例えばやすらぎガーデン１６，せせらぎガーデン１７，ささやきガーデン１８，森の恵みガーテン１９，光のガーデン４９などが設けられている。
上記各ガーデン１６〜１９，４９には、図４〜図７に示すように、花木５０、草木５１，花５２、ベンチ５３などが、テーマに沿って設けられている。３階１１ｃ及び４階１１ｄの中央部には、吹き抜け４３が設けられている。また、各ガーデン１６〜１９，４９の周囲には、空きスペースであるバックヤード４８が設けられている。
【００２４】
５階１１ｅ及び６階１１ｆには、図８に示すように、農場施設である体験農園２０が設けられている。この体験農園２０は、就農希望者に農業を体験する場を提供するために設けられたものであり、図９に示すように、園芸、菜園用として区画された複数の農地２１が設けられている。
【００２５】
体験農園２０の農地２１はフロアの中央部に設けられ、その周囲には休憩や各種の説明時に使用するバックヤード２２が設けられている。
【００２６】
７階１１ｇ〜１０階１１ｊには、図１０に示すように、貸し農園２３が設けられている。この貸し農園２３には、区画された複数の農地２４が設けられている。これらの農地２４は、賃貸或いはリースによって就農希望者に貸し付けられる。
【００２７】
なお、７階１１ｇ及び８階１１ｈの中央部、９階１１ｉ及び１０階１１ｊの中央部には、吹き抜け４４が設けられている。また、農地２４の周囲には、バックヤード２５が設けられている。
【００２８】
１１階１１ｋ〜１６階１１ｐには、図１１に示すように、分譲農園２６が設けられている。この分譲農園２６には、区画された複数の農地２７が設けられている。これらの農地２７は、就農希望者に分譲される。農地２７の周囲にもバックヤード２８が設けられてる。また、１１階１１ｋ〜１６階１１ｐの中央には、二階毎に吹き抜け４６が設けられている。
【００２９】
図１に示すように、１７階１１ｑ及び１８階１１ｒには、居住施設６０が設けられている。また、ビルディング１の屋上には、上記の雨水受水槽３０、太陽光集積パネル３１、屋上緑地化施設３２などが設けられている。また、１９階１１ｓには、空気循環システム４５が設けられ、最上階１１ｔには上記の採光用トップライト４７が設けられている。
【００３０】
上記の雨水受水槽３０に貯められた雨水は、配管３３を介して地下に設けられた浄水システム３４に送られ、ここで浄化される。この浄水は、配管３５を介して各階に供給される。上記の体験農園２０、貸し農園２３、分譲農園２６においては、供給された浄水が各農地２１，２４，２７にスプリンクラーで散水される。
【００３１】
また、上記浄水システム３４から送出された浄水は、外部の一般家庭などに送られて飲料水以外の目的で使用される。更に浄水システム３４には、一般家庭などの排水が供給され、ここで浄化される。
【００３２】
上記太陽光集積パネル３１で集積された太陽光は熱に変換される。この熱は、地下に設けられた発電・蓄電システム３６に供給され、ここで発電及び蓄電が行われる。
【００３３】
最上階１１ｔに設けられた採光用トップライト４７は、透明なガラス又は樹脂の板状部材である。この採光用トップライト４７から採り入れられた太陽光は、下階１１ａ〜１１ｓの天井及び床に設けられた貫通孔４０（図４〜図６参照）、及び各階の貫通孔４０を連結する透明パイプの途中又はその周囲に設けられた鏡やレンズ（何れも図示せず）を介して、各階１１ａ〜１１ｕの所定の場所に送られる。すなわち、上記の採光用トップライト４７及び鏡などによって太陽光供給手段が構成されている。
【００３４】
また、ビルディング１の地下階１１ｕには、ＲＤＦ(Refuse Device Fuel、可燃ゴミを細かく破砕して作った固体燃料)専焼炉熱転換システム３７が設置されている。このＲＤＦ専焼炉熱転換システム３７には、外部からＲＤＦチップ（固形燃料）が供給され、その燃焼によって発生した熱が発電・蓄電システム３６に供給される。
【００３５】
上記の発電・蓄電システム３６で発電及び蓄電された電力は、ビルディング１内の各階１１ａ〜１１ｕ及び外部の一般家庭などに供給される。
【００３６】
更に、ビルディング１の地下には、生ゴミ処理システム３８が設けられている。この生ゴミ処理システム３８には、一般家庭の生ゴミや、剪定された木の枝などが供給される。、これらの生ゴミや木の枝などは、バクテリアなどによって農園用肥料や土に転換され、ビルディング１内の各農園２０，２３，２６に供給される。また、生ゴミ処理システム３８で発生したバイオガスは、ＲＤＦ専焼炉熱転換システム３７に供給され、ここで燃焼される。
【００３７】
このように、本発明では、都市部に多い空きビル利用して農場施設を設けるので、空きビルの有効利用が可能になると共に、都市緑化が可能になる。これにより、水質汚染、大気汚染、土壌汚染などの環境悪化を抑制できる。また、都市部に住む人々の農業に対する潜在的需要を満足できる。
【００３８】
ビルディング１には体験農園２０、賃貸農園２３、分譲農園６が設けられているので、最初は就農希望者に体験農園２０において農業の体験してもらい、その後、賃貸農園２３、分譲農園２６などの利用を促進することができる。
【００３９】
更に、都市緑化によりエネルギー消費量を抑制できるので、エネルギー循環型社会の実現可能性が高くなると共に、地球温暖化の原因となる二酸化炭素の発生を抑制できる。
【００４０】
また、ビルディング１に浄水システム３４、発電・蓄電システム３６、ＲＤＦ専焼炉熱転換システム３７を設けたので、清浄水、電力、熱をビルディング１内の各農園２０，２３，２６に供給するだけでなく、外部の一般家庭などに供給することもできる。これにより、従来の一方向（ワンウェイ）型のエネルギー利用から循環型のエネルギー利用への転換が可能となる。
【００４１】
空きビルを利用した場合は、比較的早期にかつ簡単に都市緑化できる。更に、空きビルを用いる場合は、既設の空調ダクト、スプリンクラー（農場施設への散水用）などを再利用でき、床スラブ一部撤去、耐震補強、一部の設備の設置など、従来設置されていなかった設備だけを設置すればよいので、コストを最小限に抑えることができる。
【図面の簡単な説明】
【００４２】
【図１】実施形態に係るビルディングを示す断面図である。
【図２】実施形態に係るビルディングを示す外観図である。
【図３】実施形態に係るアメニティスペースを示す平面図である。
【図４】実施形態に係るやすらぎガーデンを示す斜視図である。
【図５】実施形態に係るせせらぎガーデンを示す斜視図である。
【図６】実施形態に係るささやきガーデンを示す斜視図である。
【図７】実施形態に係る森の恵みガーデンを示す斜視図である。
【図８】実施形態に係る体験農園を示す平面図である。
【図９】実施形態に係る体験農園の農地を示す斜視図である。
【図１０】実施形態に係る貸し農園を示す平面図である。
【図１１】実施形態に係る分譲農園を示す平面図である。
【符号の説明】
【００４３】
１  ビルディング
１１ａ〜１１ｕ  階層
１５  アメニティスペース
１６  やすらぎガーデン
１７  せせらぎガーデン
１８  ささやきガーデン
１９  森の恵みガーデン
２０  体験農園（農場施設）
２１，２４，２７  農地
２２，２５，２８，４９  バックヤード
２３  貸し農園（農場施設）
２６  分譲農園（農場施設）
３０  雨水受水槽
３１  太陽光集積パネル（発電・蓄電手段）
３２  屋上緑地化施設
３３，３５  配管
３４  浄水システム（浄水手段）
３６  発電・蓄電システム（発電手段）
３７  ＲＤＦ専焼炉熱転換システム（熱転換手段）
３８  生ゴミ処理システム
４０  貫通孔
４１，４２  店舗
４３〜４５  吹き抜け
４７  採光用トップライト（太陽光供給手段）
４９  光のガーデン
５０  花木
５１  草木
５２  花
５３  ベンチ
６０  居住施設
【図１】
2005207082.tif 000003
【図２】
2005207082.tif 000004
【図３】
2005207082.tif 000005
【図４】
2005207082.tif 000006
【図５】
2005207082.tif 000007
【図６】
2005207082.tif 000008
【図７】
2005207082.tif 000009
【図８】
2005207082.tif 000010
【図９】
2005207082.tif 000011
【図１０】
2005207082.tif 000012
【図１１】
2005207082.tif 000013